(57)【特許請求の範囲】
【請求項１】
モバイル電子デバイスのための出荷コンテナと、仮想現実ヘッドセットとの両方を兼ね備えたコンテナを備え、
前記コンテナは、
第１の側で開いているベース部分と、
前記ベース部分の第２の側内に配置される第１のレンズおよび第２のレンズと、
前記ベース部分の内周の少なくとも一部の周りに配置される棚部とを含み、前記棚部は、前記ベース部分の前記第１の側から挿入される電子デバイスを物理的に支持するように構成され、
前記コンテナは、さらに
第１の側で開いており、第２の側で閉じられている蓋部分と、
前記ベース部分を前記蓋部分と連結するヒンジとを含み、
前記ベース部分、前記蓋部分および前記ヒンジは、前記ベース部分および前記蓋部分が開位置と閉位置との間で互いに対して蝶番式に可動であるように構成される、装置。
【請求項２】
前記ベース部分および前記蓋部分は、対応する傾斜した合わせ面を有する、請求項１に記載の装置。
【請求項３】
前記ベース部分は、
第１のレンズ開口部および第２のレンズ開口部を有する外側ベース部分と、
内側ベース部分とを含み、
前記内側ベース部分は、
前記外側ベース部分の前記第１のレンズ開口部に整列される第１のレンズ開口部と、
前記外側ベース部分の前記第２のレンズ開口部に整列される第２のレンズ開口部とを有し、
前記ベース部分はさらに、前記内側ベース部分を前記外側ベース部分に固定する接着層を含み、
前記内側ベース部分は前記外側ベース部分内に少なくとも部分的に配置される、請求項１または２に記載の装置。
【請求項４】
前記第１のレンズおよび前記第２のレンズは、前記内側ベース部分と前記外側ベース部分との間に固定的に保持されており、
前記第１のレンズの光学部分は、前記内側ベース部分の前記第１のレンズ開口部および前記外側ベース部分の前記第１のレンズ開口部内に配置され、
前記第２のレンズの光学部分は、前記内側ベース部分の前記第２のレンズ開口部および
前記外側ベース部分の前記第２のレンズ開口部内に配置される、請求項３に記載の装置。
【請求項５】
前記第１のレンズおよび前記第２のレンズは、各々、前記内側ベース部分と前記外側ベース部分との間に前記第１のレンズおよび前記第２のレンズを固定的に保持するように構成された複数のタブを含む、請求項３または４に記載の装置。
【請求項６】
前記ベース部分および前記蓋部分には、その内部に切欠きが画定され、前記切欠きは、ユーザの鼻の上に配置されるように構成されている、請求項１〜５のいずれか１項に記載の装置。
【請求項７】
前記ベース部分に固定されるボタン機構をさらに備え、前記ボタン機構は、前記電子デバイスのタッチスクリーンと選択的に対話するように構成されている、請求項１に記載の装置。
【請求項８】
前記ベース部分は、前記ボタン機構に関連付けられる開口部を含み、前記ボタン機構の一部は、前記開口部を介して露出している、請求項７に記載の装置。
【請求項９】
前記ボタン機構は、導電性材料を含む、請求項７または８に記載の装置。
【請求項１０】
前記ベース部分は、内側ベース部分と外側ベース部分とを含み、
前記ボタン機構は、前記内側ベース部分と前記外側ベース部分との間に固定的に保持され、
前記内側ベース部分は、前記ボタン機構の一部を受けるように構成された切欠きを含み、
前記外側ベース部分は、前記ボタン機構に関連付けられる開口部を含み、
前記ボタン機構の一部は、前記開口部を介して露出される、請求項７に記載の装置。
【請求項１１】
前記ベース部分は、内側ベース部分と外側ベース部分とを含み、
前記内側ベース部分は凹部を含み、
前記ボタン機構は、前記凹部に固定的に取り付けられ、
前記ボタン機構は、前記内側ベース部分と前記外側ベース部分との間において固定的に保持され、
前記内側ベース部分は、前記ボタン機構の一部を受けるように構成された切欠きを含む、請求項７に記載の装置。
【請求項１２】
前記ヒンジは、
前記装置の少なくとも１つの内面に連結された第１のヒンジ部分と、
前記装置の少なくとも１つの外面に連結された第２のヒンジ部分とを含む、請求項１〜１１のいずれか１項に記載の装置。
【請求項１３】
モバイル電子デバイスのための出荷コンテナと、仮想現実ヘッドセットとの両方を兼ね備えたコンテナを備え
前記コンテナは、
第１の側で開いているベース部分と、
前記ベース部分の第２の側内に配置される第１のレンズおよび第２のレンズと、
前記ベース部分の内周の少なくとも一部の周りに配置される棚部とを含み、前記棚部は、前記ベース部分の前記第１の側から挿入される電子デバイスを物理的に支持するように構成され、
前記コンテナは、さらに、
第１の側で開いており、第２の側で閉じられている蓋部分と、
前記ベース部分を前記蓋部分と連結するヒンジとを含み、前記ベース部分、前記蓋部分および前記ヒンジは、前記ベース部分および前記蓋部分が開位置と閉位置との間で互いに対して蝶番式に可動であるように構成され、
前記コンテナは、さらに、
前記閉位置にあるときに前記ベース部分および前記蓋部分の上に摺動可能にフィットするように構成されたスリーブと、
前記ベース部分内に配置されるように構成されたトレイとを含み、前記トレイは、前記トレイと前記第１のレンズおよび前記第２のレンズとの間の物理的接触を防止するように構成された複数の脚部を含む、製造物品。
【請求項１４】
前記トレイは、前記電子デバイスのための少なくとも１つの付属品を含むように構成されている、請求項１３に記載の製造物品。
【請求項１５】
前記ベース部分および前記蓋部分は、対応する傾斜した合わせ面を有する、請求項１３または１４に記載の製造物品。
【請求項１６】
前記ベース部分は、
第１のレンズ開口部および第２のレンズ開口部を有する外側ベース部分と、
内側ベース部分とを含み、
前記内側ベース部分は、
前記外側ベース部分の前記第１のレンズ開口部に整列される第１のレンズ開口部と、
前記外側ベース部分の前記第２のレンズ開口部に整列される第２のレンズ開口部とを有し、
前記ベース部分はさらに、前記内側ベース部分を前記外側ベース部分に固定する接着層を含み、
前記内側ベース部分は前記外側ベース部分内に少なくとも部分的に配置される、請求項１３〜１５のいずれか１項に記載の製造物品。
【請求項１７】
前記第１のレンズおよび前記第２のレンズは、前記内側ベース部分と前記外側ベース部分との間に固定的に保持されており、
前記第１のレンズの光学部分は、前記内側ベース部分の前記第１のレンズ開口部および前記外側ベース部分の前記第１のレンズ開口部内に配置され、
前記第２のレンズの光学部分は、前記内側ベース部分の前記第２のレンズ開口部および前記外側ベース部分の前記第２のレンズ開口部内に配置される、請求項１６に記載の製造物品。
【請求項１８】
前記ベース部分および前記蓋部分には、その内部に切欠きが画定され、前記切欠きは、ユーザの鼻の上に配置されるように構成されている、請求項１３〜１７のいずれか１項に記載の製造物品。
【請求項１９】
前記ベース部分に固定されるボタン機構をさらに備え、前記ボタン機構は、前記電子デバイスのタッチスクリーンと選択的に対話するように構成されている、請求項１３〜１８のいずれか１項に記載の製造物品。
【請求項２０】
前記ヒンジは、
装置の少なくとも１つの内面に連結される第１のヒンジ部分と、
前記装置の少なくとも１つの外面に連結される第２のヒンジ部分とを含む、請求項１３〜１９のいずれか１項に記載の製造物品。
【発明の詳細な説明】
【技術分野】
【０００１】
関連出願への相互参照
本出願は、「一体化されたモバイルデバイスパッケージングおよび仮想現実ヘッドセット（INTEGRATED MOBILE DEVICE PACKAGING AND VIRTUAL REALITY HEADSET）」と題された２０１６年２月２４日に出願された米国非仮特許出願第１５／０５２，４３２号の優先権を主張し、その継続出願であり、それは、次いで、２０１５年７月３１日に出願された「スマートフォンパッケージングおよび仮想実在ヘッドセット」と題される米国特許出願第１４／８１５，１２４号の一部継続であり、その優先権を主張し、両者の全体をここに引用により援用する。
【０００２】
技術分野
本開示は、それぞれのモバイル電子デバイスとともに使用するための一体化された仮想現実ヘッドセットを含むモバイル電子デバイスのためのパッケージング（例えば、スマートフォン出荷コンテナ）に関する。より具体的には、本開示は、出荷コンテナが仮想現実ヘッドセットとして使用されるように構成されたモバイル電子デバイスのためのパッケージングに関する。
【発明の概要】
【課題を解決するための手段】
【０００３】
概要
一般的な態様において、装置は、第１の側で開いているベース部分と、ベース部分の第２の側内に配置された第１のレンズおよび第２のレンズとを含むことができる。装置はまた、ベース部分の内周の少なくとも一部の周りに配置された棚部を含み、棚部は、ベース部分の第１の側から挿入される電子デバイスを物理的に支持するように構成されることができる。この装置は、第１の側で開いており第２の側で閉じられている蓋部分と、ベース部分を蓋部分と連結するヒンジとをさらに含むことができる。ベース部分、蓋部分およびヒンジは、ベース部分および蓋部分が開位置と閉位置との間で互いに対して蝶番式に可動であるように構成することができる。
【０００４】
実施形態は、以下の特徴の１つ以上を含み得る。例えば、ベース部分および蓋部分は、対応する傾斜した合わせ面を有することができる。ベース部分は、第１のレンズ開口部、第２のレンズ開口部を有する外側ベース部分および内側ベース部分を含むことができる。内側ベース部分は、外側ベース部分の第１のレンズ開口部と整列される第１のレンズ開口部と、外側ベース部分の第２のレンズ開口部と整列される第２のレンズ開口部とを含むことができる。ベース部分は、内側ベース部分を外側ベース部分に固定する接着層を含むことができる。内側ベース部分は、外側ベース部分内に少なくとも部分的に配置することができる。
【０００５】
第１のレンズおよび第２のレンズは、内側ベース部分と外側ベース部分との間に固定的に保持することができる。第１のレンズの光学部分は、内側ベース部分の第１のレンズ開口部および外側ベース部分の第１のレンズ開口部内に配置することができる。第２のレンズの光学部分は、内側ベース部分の第２のレンズ開口部および外側ベース部分の第２のレンズ開口部内に配置することができる。第１のレンズおよび第２のレンズは各々、内側ベース部分と外側ベース部分との間に第１のレンズおよび第２のレンズを固定的に保持するように構成された複数のタブを含むことができる。
【０００６】
ベース部分および蓋部分には、その内部に切欠きが画定され得る。切欠きは、ユーザの鼻の上に配置するように構成することができる。
【０００７】
装置は、ベース部分に固定されるボタン機構を含むことができる。ボタン機構は、電子デバイスのタッチスクリーンと選択的に対話するように構成することができる。ベース部分は、ボタン機構に関連付けられる開口部を含むことができる。ボタン機構の一部は、開口部を通して露出させることができる。ボタン機構は、導電性材料を含むことができる。
【０００８】
ベース部分は、内側ベース部分および外側ベース部分を含むことができる。ボタン機構は、内側ベース部分と外側ベース部分との間に固定的に保持することができる。内側ベース部分は、ボタン機構の一部を受けるように構成された切欠きを含むことができる。外側ベース部分は、ボタン機構に関連付けられる開口部を含むことができる。ボタン機構の一部は、開口部を通して露出させることができる。
【０００９】
ベース部分は、内側ベース部分および外側ベース部分を含むことができる。内側ベース部分は、凹部を含むことができる。ボタン機構は、ボタン機構が内側ベース部分と外側ベース部分との間に固定的に保持されるように、凹部に固定的に取り付けることができる。内側ベース部分は、ボタン機構の一部を受けるように構成された切欠きを含むことができる。
【００１０】
ヒンジは、第１のヒンジ部分および第２のヒンジ部分を含むことができる。第１のヒンジ部分は、装置の少なくとも１つの内面と連結することができる。第２のヒンジ部分は、装置の少なくとも１つの外面と連結することができる。
【００１１】
他の一般的な態様において、製造物品は、第１の側で開いているベース部分と、ベース部分の第２の側内に配置された第１のレンズおよび第２のレンズとを含むことができる。物品はまた、ベース部分の内周の少なくとも一部の周りに配置された棚部を含むことができる。棚部は、ベース部分の第１の側から挿入される電子デバイスを物理的に支持するように構成することができる。物品はまた、第１の側で開いており、第２の側で閉じられている蓋部分を含むことができる。物品はまた、ベース部分を蓋部分と連結するヒンジを含むことができる。ベース部分、蓋部分およびヒンジは、ベース部分および蓋部分が開位置と閉位置との間で互いに対して蝶番式に可動であるように構成することができる。物品はまた、閉位置にあるときにベース部分および蓋部分の上に摺動可能にフィットするように構成されたスリーブを含むことができる。物品は、ベース部分内に配置されるように構成されたトレイをさらに含むことができる。トレイは、トレイと第１のレンズおよび第２のレンズとの間の物理的接触を防止するように構成された複数の脚部を含むことができる。
【００１２】
実施形態は、以下の特徴の１つ以上を含み得る。例えば、トレイは、電子デバイスのための少なくとも１つの付属品を含むように構成され得る。ベース部分および蓋部分は、対応する傾斜した合わせ面を有することができる。
【００１３】
ベース部分は、外側ベース部分および内側ベース部分を含むことができる。外側ベース部分は、第１のレンズ開口部および第２のレンズ開口部を有することができる。内側ベース部分は、外側ベース部分の第１のレンズ開口部と整列される第１のレンズ開口部と、外側ベース部分の第２のレンズ開口部と整列される第２のレンズ開口部とを有することができる。ベース部分は、内側ベース部分を外側ベース部分に固定する接着層を含み、内側ベース部分は外側ベース部分内に少なくとも部分的に配置されることができる。
【００１４】
第１のレンズおよび第２のレンズは、内側ベース部分と外側ベース部分との間に固定的に保持することができる。第１のレンズの光学部分は、内側ベース部分の第１のレンズ開口部および外側ベース部分の第１のレンズ開口部内に配置することができる。第２のレンズの光学部分は、内側ベース部分の第２のレンズ開口部および外側ベース部分の第２のレンズ開口部内に配置することができる。
【００１５】
ベース部分および蓋部分には、その内部に切欠きが画定され得る。切欠きは、ユーザの鼻の上に配置するように構成することができる。
【００１６】
物品は、ベース部分に固定されるボタン機構を含むことができる。ボタン機構は、電子デバイスのタッチスクリーンと選択的に対話するように構成することができる。
【００１７】
ヒンジは、第１のヒンジ部分および第２のヒンジ部分を含むことができる。第１のヒンジ部分は、装置の少なくとも１つの内面と連結することができる。第２のヒンジ部分は、装置の少なくとも１つの外面と連結することができる。
【００１８】
１つ以上の実現例の詳細が、添付の図面および以下の記載において述べられる。他の特徴は記載および図面、ならびに特許請求の範囲から明らかになる。
【図面の簡単な説明】
【００１９】
【図１】一実施形態による、一体化されたモバイルデバイス出荷コンテナ（パッケージング）および仮想現実（ＶＲ）ヘッドセットの分解斜視図を示す図である。
【図２Ａ】一実施形態による、図１の一体化された出荷コンテナおよびＶＲヘッドセットの前側斜視図を示す図である。
【図２Ｂ】一実施形態による、図１の一体化された出荷コンテナおよびＶＲヘッドセットの底側斜視図を示す図である。
【図３】一実施形態による、蓋部分が開位置に蝶番式に移動された状態の、図１の一体化された出荷コンテナおよびＶＲヘッドセットの斜視図を示す図である。
【図４Ａ】一実施形態による、図１の一体化された出荷コンテナおよびＶＲヘッドセットの蓋部分の斜視図を示す図である。
【図４Ｂ】一実施形態による、図４Ａの蓋部分の底側平面図を示す図である。
【図４Ｃ】一実施形態による、図４Ｂの断面線４Ｃ−４Ｃに沿った図４Ａおよび図４Ｂの蓋部分の断面図を示す図である。
【図５Ａ】一実施形態による、図１の一体化された出荷コンテナおよびＶＲヘッドセットのボタン機構の斜視図を示す図である。
【図５Ｂ】一実施形態による、図５Ａのボタン機構の頂部側平面図を示す図である。
【図５Ｃ】一実施形態による、図５Ａのボタン機構の右側平面図を示す図である。
【図６Ａ】一実施形態による、図５Ａのボタン機構に適用可能な導電性テープを示す図である。
【図６Ｂ】一実施形態による、図６Ａの導電性テープの右側平面図を示す図である。
【図７Ａ】一実施形態による、図１の一体化された出荷コンテナおよびＶＲヘッドセットとの関連で使用することができる付属品トレイの斜視図を示す図である。
【図７Ｂ】一実施形態による、図７Ａの付属品トレイの底側平面図を示す図である。
【図７Ｃ】一実施形態による、平坦な、折り畳み前の構成で示される、図７Ａの付属品トレイの第１の部分の平面図を示す図である。
【図７Ｄ】一実施形態による、平坦な、折り畳み前の構成で示される、図７Ａの付属品トレイの第２の部分の平面図を示す図である。
【図８Ａ】一実施形態による、図１の一体化された出荷コンテナおよびＶＲヘッドセットのベース部分の内側部分の平面図を示す図である。
【図８Ｂ】一実施形態による、断面線８Ｂ−８Ｂに沿った図８Ａの内側部分の断面図を示す図である。
【図８Ｃ】一実施形態による、断面線８Ｃ−８Ｃに沿った図８Ａの内側部分の断面図を示す図である。
【図８Ｄ】一実施形態による、図８Ａの内側部分の底側平面図を示す図である。
【図８Ｅ】一実施形態による、図８Ａの内側部分の左側平面図を示す図である。
【図８Ｆ】一実施形態による、図８Ａの内側部分の頂部側平面図を示す図である。
【図９Ａ】一実施形態による、図１の一体化された出荷コンテナおよびＶＲヘッドセットのベース部分の外側部分の平面図を示す図である。
【図９Ｂ】一実施形態による、図９Ａの外側部分の頂部側平面図を示す図である。
【図９Ｃ】一実施形態による、図９Ａの外側部分の底側平面図を示す図である。
【図９Ｄ】一実施形態による、図９Ａの内側部分の左側平面図を示す図である。
【図１０】一実施形態による、図１の一体化された出荷コンテナおよびＶＲヘッドセットのレンズの対の斜視図を示す図である。
【図１１】一実施形態による、図８Ａの内側部分を外側部分９Ａと固定するための接着層の斜視図を示す図である。
【発明を実施するための形態】
【００２０】
様々な図面における同様の参照符号は同様の要素を示す。いくつかの同様の要素の参照番号は、そのような要素すべてについて繰り返されないことがある。所与の実施形態の特定の要素に対するいくつかの参照番号は、その実施形態に対応する各図面において繰り返されないことがある。所与の実施形態の特定の要素に対するいくつかの参照番号は、その実施形態に対応する他の図面において繰り返され得るが、対応する各図面を参照して特に議論されない場合がある。
【００２１】
詳細な説明
本開示は、他の仮想現実（ＶＲ）ヘッドセットの実施形態と比較して比較的低コストでユーザに提供されることができるＶＲヘッドセット（ＶＲゴーグルとも呼ぶこともできる）に関する。本明細書に記載されたＶＲヘッドセットは、対応する消費者電子デバイス（例えば、スマートフォン、タブレットなど）を製造業者から消費者に出荷するために使用できる出荷コンテナ（例えば、商業用パッケージング）と一体化することができる。すなわち、消費者は、そのような出荷コンテナ（消費者は対応する電子デバイスをそれで受け取る）をＶＲヘッドセットとして使用して、対応する電子デバイス上で実行または再生することができるＶＲアプリケーションまたはコンテンツに関連する視覚的画像を体験することができる。この開示の目的ために、一体化された出荷コンテナおよびＶＲヘッドセットは、さらに、一体化された出荷コンテナ、一体化されたパッケージング、出荷コンテナ、パッケージング、一体化されたＶＲヘッドセット、一体化されたヘッドセット、ＶＲヘッドセット、ヘッドセットなどとも称され得る。
【００２２】
（所定の消費者電子デバイス用の）そのような一体化された出荷コンテナは、（例えば受け取り側消費者によって）ＶＲヘッドセットとして使用することができ（例えば、一体化されたＶＲヘッドセットが所与の電子デバイスと共に使用するように特別に設計されている場合）、ＶＲヘッドセットの要素は、特別に設計された出荷コンテナの１つ以上の要素と一体化される。例えば、そのような一体化された出荷コンテナを使用してパッケージングされ出荷された電子デバイスを受け取った後、消費者は、一体化された出荷コンテナから電子デバイスを取り出し、１つ以上の付属品（ケーブルなど）を取り外し、（例えば、本明細書に記載されているような）任意の保護パッケージング材料を除去（例えば破棄、リサイクル）し、一体化されたＶＲヘッドセットで電子デバイスのディスプレイを見るのに適した向きで電子デバイスを一体化されたＶＲヘッドセットに挿入して固定することができる。次いで、消費者は、ＶＲアプリケーションまたはコンテンツ（例えば、電子デバイスによって実行または再生される）に関連付けられる（生成される）画像を見ることができ、それらの画像は、電子デバイス（例えば、スマートフォン、タブレットなど）のディスプレイパネル（例えば、タッチスクリーン）上に表示され、一体化されたＶＲヘッドセットを用いて見られ、コンテンツが仮想現実コンテンツとして（例えば、仮想３次元ビューで）体験される。
【００２３】
図面に示され、本明細書に記載される一体化された出荷コンテナおよびＶＲヘッドセットの実施形態が例として示される。したがって、１つの実施形態の特徴は、必要に応じて他の実施形態に含めることができる。さらに、所与の実施形態の特徴は、他の実施形態では省略することができる。また、図面に示され、本明細書に記載される実施形態の要素は、例示的なものであり、一定の縮尺で示されていない場合がある。さらに、所与の装置の特定の要素の構成は、特定の実施形態に依存し得る。
【００２４】
本開示の目的のために、本明細書に例示され説明される例示的な一体化された出荷コンテナおよびＶＲヘッドセットの実施形態の様々な要素は、上、左、右、下などのような相対的な用語を用いて参照され得る。これらの用語は、例示的な実施形態を説明するために例として使用される。他の実施形態または他の向きでは、これらの参照は変更され得る。例えば、１つのビュー内のＶＲヘッドセットの左側は、そのＶＲヘッドセットの別のビューでは右側と呼ばれ得、または別のＶＲヘッドセットの実施形態では右側と呼ばれ得る。場合によっては、そのような相対的な用語は実施形態の他のビューを参照し得る。例えば、実施形態の右側のビューとして示されるビューは、関連する透視図に示されるように、その実施形態の右側を指し得る。
【００２５】
さらに、本明細書に記載された一体化された出荷コンテナおよびＶＲヘッドセットの実施形態の要素は、列挙された参照、例えば、第１、第２などを使用して参照されてもよい。相対的な参照に関して上で述べたように、そのような列挙された参照は、（所与の図における）特定の向きまたは一体化された出荷コンテナおよびＶＲヘッドセットの特定の実施形態に依存して変化し得る。例えば、１つのビューにおける第１の端部または第１の側は、別のビューでは、または異なる一体化されたＶＲヘッドセットの実施形態を論じるときに、第２の端部または第２の側と呼ばれ得る。
【００２６】
さらに、１つの図面に示されている所与の実施形態の要素は、その実施形態のための別の図面には示されないかもしれない。例えば、図１に示す（例えば、出荷目的で使用される）電子デバイス保護パッケージング材料は、図１の実施形態に向けられる各図には示されていない。
【００２７】
また、図面に具体的に示されていないが、本明細書に記載された一体化された出荷コンテナおよびＶＲヘッドセット実施形態の要素は、蓋部分、保護スリーブなどの様々な構成要素上に配置または印刷されたロゴおよび／またはブランドを含むことができる。そのようなロゴまたはブランドは、特定の実施形態に応じて異なり得る。
【００２８】
図１は、一実施形態による、一体化された出荷コンテナ（パッケージング）および仮想現実（ＶＲ）ヘッドセット１００の分解斜視図を示す図である。図１において、一体化された出荷コンテナおよびＶＲヘッドセット１００は、一体化された出荷コンテナおよびＶＲヘッドセット１００を出荷コンテナ（例えば、商業用パッケージング）として使用する場合に含まれ得る要素と共に示されている。図示のように、図１において、一体化された出荷コンテナおよびＶＲヘッドセット（一体化されたＶＲヘッドセット）１００は、この実施形態では、外側ベース部分１１０および内側ベース部分１１２を含むベース部分を含むことができる。一体化されたＶＲヘッドセット１００はまた、外側ベース部分１１０を内側ベース部分１１４と固定する（取付ける、固定する、接合するなど）ために使用することができる接着層１１４を含むことができる。他の実施形態では、糊、テープ、エポキシ、フックアンドループ、または適切な接着剤もしくは接続材料のような、外側ベース部分１１０を内側ベース部分１１４に固定するための他のアプローチをとることができる。
【００２９】
図１に示すように、一体化されたＶＲヘッドセット１００のベース部分（例えば、外側ベース部分１１０に接着層１１４で取り付けられ、レンズ１２０を収容する内側ベース部分１１０）は、第１の側で開いているシャーシの形態を取ることができる。他の実施形態では、ベース部分は他の構成を有することができる。しかし、図１に示す実施形態では、図１に示すように、ベース部分は、左側、右側、下側および上側を含むことができる。このようなアプローチでは、ベース部分の左側、右側、下側および上側は、ベース部分の開いた第１の側を画定することができる（例えば、図１の内側ベース部分１１２および外側ベース部分１１０の上向きの開いた側を含む）。
【００３０】
一体化されたＶＲヘッドセット１００はまた、例えば、外側ベース部分１１０が内側ベース部分１１２と固定されると外側ベース部分１１０と内側ベース部分１１４との間に取り付けられ得る（固定される、保持されるなど）レンズ１２０の対（例えば、第１の非球面レンズおよび第２の非球面レンズ）を含み得る。
【００３１】
一体化されたＶＲヘッドセット１００は、蓋部分１３０を含むこともできる。図１に示す一体化されたＶＲヘッドセット１００では、一体化されたＶＲヘッドセット１００の蓋部分１３０は、ベース部分と蝶番式に連結することができる。例えば、この実施形態では、図１に示すように、第１のヒンジ部分１４０を蓋部分１３０と固定することができ、第２のヒンジ部分１４２を外側ベース部分１１０と固定することができる。第１のヒンジ部分１４０は、第２のヒンジ部分１４２と（例えば、接着剤で、機械的に、など）係合させることができる。他の実施形態では、第１のヒンジ部分１４０および第２のヒンジ部分の両方を、蓋部分およびベース部分（例えば、外側ベース部分および／または内側ベース部分１１２）の両方に係合させることができる。さらに他の実施形態では、一体化されたＶＲヘッドセット１００は、蓋部分１３０をベース部分と蝶番式に連結するために使用される単一のヒンジ部分を含むことができる。
【００３２】
ヒンジ部分１４０および１４２は、プラスチック、繊維、コート紙、接着剤被覆ポリマーなどの多数の適切な材料から形成することができる。いくつかの実施形態では、ヒンジ部分１４０および１４２は、可撓性材料で形成されてもよい。他の実施形態では、ヒンジ部分１４０および１４２は、互いに係合したときに、それらの係合（接続など）点で蝶番式に動く剛性材料で形成することができる。さらに他の実施形態では、ヒンジ部分１４０および１４２は、多数の適切な材料の組み合わせで形成することができる。
【００３３】
図１に示すように、一体化されたＶＲヘッドセット１００は、一体化されたＶＲヘッドセット１００のボタンから電子デバイス１７０のタッチスクリーンへの選択可能な導電経路を提供することなどによって、一体化されたＶＲヘッドセット１００のユーザが対応する電子デバイス１７０のタッチスクリーンを介して再生または表示されているＶＲコンテンツと対話できるようにするために使用することができるボタン機構１５０を含むこともできる。図１に示すように、ボタン機構１５０は、内側ベース部分１１２と外側ベース部分１１０との間に配置することができる。実施形態に応じて、ボタン機構は、外側ベース部分１１２および／または内側ベース部分１１０に固定（例えば、糊付け、接着、接合など）されて、ボタン機構が固定整列（位置、配置など）された状態で一体化されたＶＲヘッドセット１００内にあるままであるようにする。
【００３４】
以下でさらに詳細に説明するが、ボタン機構１５０は、くさび１５１およびブロック１５４を含むことができる。くさび１５１は、内側ベース部分１１２を通って延在し、（例えば、ユーザが他方のベース部分１１０の入力ボタン開口部を介してボタン機構を押すことに応答して）電子デバイス１７０のタッチスクリーンと選択的に接触するように構成することができる。図１の一体化されたＶＲヘッドセット１００のような実施形態では、ボタン機構１５０は（例えば、内側ベース部分１１２および／または外側ベース部分１１０と組み合わせて）弾性を有するように構成することができる。言い換えれば、ボタン機構１５０は、ボタン機構１５０が（例えばユーザの指によって）押されることなく、または外力を受けることなく、くさびが電子デバイス１７０のタッチスクリーンと接触しないように、付勢され得る。そのような実施形態では、（例えば、くさび１５１の外面を電子デバイス１７０のタッチスクリーンと接触させるよう）ボタン機構１５０を押し下げるために用いられる外力が除去された後、ボタン機構１５０は、その付勢された（通常）の位置に戻る（例えば、くさび１５１が電子デバイス１７０のタッチスクリーンと接触していない状態）。
【００３５】
一体化されたＶＲヘッドセット１００のブロック１５４（弾性発泡材料などの弾性材料から形成することができる）を使用して、ユーザによって押された後（例えば、外力が除去されると）、ボタン機構１５０をその付勢された（通常）の位置に戻すよう、ボタン機構に対してばね力を与えることができる。ブロック１５４は、ボタン機構１５０の停止部としても機能することができる。例えば、ボタン機構１５０が押し下げられると、ブロック１５４は、内側ベース部分１１２の背面（図１では見えない）に対して圧縮され、くさび１５１が電子デバイス１７０のタッチスクリーン上に過度の圧力を及ぼすのを防止し、ボタン機構１５０がもはや押されていないとき（例えば、外力が除去され、ボタン機構が解放されるなど）、ブロック１５４の弾性により、ボタン機構１５０をその付勢された位置に戻すように構成することができる。
【００３６】
いくつかの実施形態では、くさび１５１は、導電性発泡体などの導電性材料、または他の適切な導電性材料で形成することができる。他の実施形態では、くさび１５１は、導電性材料でコーティングまたは被覆される非導電性材料から形成することができる。一例として、図１に示すように、ボタン機構は、くさび１５１の少なくとも一部に配置され、（例えば、外側ベース部分１１０の入力ボタン開口部を通して露出するように）ボタン機構１５０の背面の周りに延びる導電性テープ１５２を含むことができる。このようなアプローチは、外側ベース部分１１０を介して露出されるボタン機構１５０の部分からくさび１５１への導電性経路を生成する。したがって、ユーザがボタン機構を押してくさび１５１を電子デバイスのタッチスクリーンと選択的に接触させると、ユーザから電子デバイス１７０のタッチスクリーンへの接地経路が形成され、ユーザは電子デバイス１７０上で視聴中のＶＲコンテンツと対話することができる。一体化されたＶＲヘッドセット１００において実施することができる導電性テープ１５２の例示的な実施形態が、図６Ａおよび図６Ｂにさらに詳細に示され、さらに以下に論じられる。
【００３７】
図１にさらに示すように、一体化されたＶＲヘッドセット１００は、付属品トレイ１６０とスリーブ（外側スリーブ）１８０とを含むこともできる。本明細書で説明するように、一体化されたＶＲヘッドセット１００は、電子デバイス１７０を（例えば、電子デバイス１７０が付属品トレイ１６０の上に配置された状態で）出荷するために使用することができる。電子デバイスの消費者への出荷中、電子デバイス１７０のための対応する任意の付属品（図示せず）を付属品トレイ１６０内に配置することができる。付属品トレイ１６０は、電子デバイスの出荷中に付属品がレンズ１２０に対する傷などの損傷を引き起こすのを防止することができる。図１に示されてはいないが、付属品トレイ１６０内に配置され得る付属品は、ユニバーサルシリアルバス（ＵＳＢ）充電ケーブル、電源アダプタ、ヘッドセット、製品ドキュメントなどを含むことができる。他の実施形態では、付属品トレイ１６０は、本明細書に記載されたもの以外の構成を有することができ、図１に関して記載されたものとは異なる構成要素を出荷するために使用され得ることが理解されよう。付属品トレイ１６０の例示的な実施形態が、図７Ａ〜図７Ｄに示され、以下により詳細に説明される。
【００３８】
図１に示すように、スリーブ１８０は、蓋部分１３０がベース部分に閉位置で蝶番式に取り付けられたとき、一体化されたＶＲヘッドセット１００の蓋部分１３０およびベース部分（外側ベース部分１１０および内側ベース部分１１２を含む）上に摺動可能にフィットするように構成することができる。このようなアプローチでは、スリーブ１８０は、（例えば、製造業者から消費者への）出荷および取扱い中の間、一体化されたＶＲヘッドセット１００の他の構成要素（例えばレンズ１２０）を保護することができ、付属品トレイ１６０、電子デバイス１７０および任意の対応する付属品が、一体化されたＶＲヘッドセット１００の蓋部分１３０およびベース部分内に配置される。ある実施形態では、スリーブ１８０は、外側ベース部分１１０および／または蓋部分１３０に、１つ以上の接着ディスクまたはストリップ（例えばテープ）を使用して固定することができ、それは、スリーブ１８０を一体化されたＶＲヘッドセット１００の残りの部分から取り外すことができるように、切断および／または取り外すことができる。
【００３９】
いくつかの実施形態では、一体化されたＶＲヘッドセット１００は、近距離通信（ＮＦＣ）タグ（図示せず）を含むこともできる。他の実施形態では、ＲＦＩＤタグなどの別の適切な識別機構を使用することができる。ＮＦＣタグを使用する実施形態では、ＮＦＣタグは、例えば、一体化された出荷コンテナおよびＶＲヘッドセット１００の蓋部分１３０に取り付けられる接着剤付きのタグまたはステッカーの形態を取ることができる。他の実施形態では、そのようなＮＦＣタグを内側ベース部分１１２または外側ベース部分１１０の一方に取り付けることができる。そのようなＮＦＣタグ（または他の識別機構）を使用して、電子デバイス１７０が一体化されたＶＲヘッドセット１００に挿入されたときに（またはそうでなければ一体化されたＶＲヘッドセット１００に近接しているときに）一体化されたＶＲヘッドセット１００を電子デバイス１７０に対して識別することができる。
【００４０】
このようなＮＦＣタグを用いた電子デバイス１７０による一体化されたＶＲヘッドセット１００の識別により、電子デバイス１７０は、例えば、一体化されたＶＲヘッドセット１００が電子デバイス１７０に対応する（例えば、電子デバイス１７０を出荷し、電子デバイス１７０上でＶＲコンテンツを見るために特別に設計されている）と判断することができる。他の実施形態では、そのようなＮＦＣタグを使用することにより、異なる電子デバイス（例えば、一体化されたＶＲヘッドセット１００が特にそれに対して設計されていないもの）が、レンズ１２０の焦点距離、一体化されたＶＲヘッドセット１００の物理的寸法など、一体化されたＶＲヘッドセット１００に関するいくつかの特性を判断することができる。（例えば、一体化されたＶＲヘッドセット１００がそれに対して特別に設計されていない）他の電子デバイスは、（例えば、ＮＦＣタグから判断される）一体化されたＶＲヘッドセット１００のそのような特性を用いて、これらのデバイスがどのように視覚的ＶＲコンテンツをレンダリングするかを修正（例えばユーザ体験を改善）してもよい。
【００４１】
図１に示すように、電子デバイス１７０は、一体化された出荷コンテナおよびＶＲヘッドセット１００内において（例えば、内側ベース部分１１２内において棚部の上に）、電子デバイス１７０のタッチスクリーンを上に向けて（例えば、図１の左側に示されている電子デバイス１７０の向きで）、または電子デバイス１７０のタッチスクリーンを下に向けて（例えば、図１の右側に示されている電子デバイス１７０の向きで）、配置することができる。この実施形態では、電子デバイス１７０を消費者に出荷するために一体化されたＶＲヘッドセット１００が使用されるとき、電子デバイス１７０をタッチスクリーン上向きで配置することができる。さらに、この実施形態では、一体化されたＶＲヘッドセット１００をＶＲヘッドセットとして使用するとき（例えば、電子デバイス１７０上のＶＲアプリケーションおよび／もしくはコンテンツの実行ならびに／または再生に関連付けられるＶＲ画像を見るために電子デバイス１７０を使用するとき）、電子デバイス１７０は、（付属品トレイ１６０および任意の対応する付属品が取り外された状態で）タッチスクリーン下向きで配置されてもよい。
【００４２】
特定の実施形態に応じて、外側ベース部分１１０、内側ベース部分１１２、蓋部分１３０、付属品トレイ１６０およびスリーブ１８０は、多数の異なる材料で形成することができる。一体化された出荷コンテナおよびＶＲヘッドセット１００のこれらの構成要素の各々に同じ材料を使用することができ、または様々な構成要素に異なる材料を使用することができる。いくつかの例示的な材料として、外側ベース部分１１０、内側ベース部分１１２、蓋部分１３０、付属品トレイ１６０およびスリーブ１８０は、ボール紙、繊維板、プラスチック、ヘビーペーパーストックなどから形成することができる。いくつかの実施形態では、外側ベース部分１１０、内側ベース部分１１２、蓋部分１３０、付属品トレイ１６０およびスリーブ１８０は、ダイカット技術を使用して形成することができる。他の実施態様では、ダイカットの代わりに例えばレーザー切断のような他の切断（例えば、精密切断）技術を使用することができる。さらに他の実施形態では、これらの構成要素は、多数の他の適切な技術を用いて打ち抜き、成形、または形成することができる。
【００４３】
図２Ａは、一実施形態による、図１の一体化されたＶＲヘッドセット１００の前側斜視図を示す図である。（図２Ａおよび図３と同様に）図２Ａに示すように、一体化されたＶＲヘッドセット１００は、ＶＲヘッドセットとしての使用のための構成で（例えば、電子デバイス１７０との関連で）示されている。図２Ａの斜視図では、一体化されたＶＲヘッドセット１００は、電子デバイス１７０が一体化されたＶＲヘッドセット１００に挿入され、電子デバイス１７０に表示されたＶＲコンテンツを見るために、ユーザがその顔にまたはその近くに置くことができる側（ここでは前側と呼ぶ）から示されている。
【００４４】
図２Ａに示すように、外側ベース部分１１０は、内側ベース部分１１２における相補的な切欠き（例えば、図２Ｂに示す切欠き２２２）および蓋部分１３０における相補的な切欠き（例えば、図２Ｂに示す切欠き２２４）と整列させることができる切欠き２２０を含むことができる。切欠き２２０（ならびに内側ベース部分１１２および蓋部分１３０の相補的な切欠き）は、ユーザの顔面への一体化されたＶＲヘッドセット１００の配置を容易にするように構成することができ、切欠き２２０（ならびに内側ベース部分１１２および蓋部分１３０の相補的な切欠き）は、ユーザの鼻の上（その周りなど）に配置される。
【００４５】
図２Ａに示されているように、レンズ１２０は、ベース部分内に配置することができ、レンズは、外側ベース部分１１０と内側ベース部分１１２とが例えば接着層１１４または他の適切な材料で互いに固定されるとき、外側ベース部分１１０と内側ベース部分１１２とによってそれらの間で保持される。レンズ１２０は、内側ベース部分１１２および外側ベース部分１１０に画定されたレンズ開口部と整列させることができる。
【００４６】
図２Ａに示すように、外側ベース部分１１０は、ボタン機構１５０の導電性テープ１５２を露出させることができるボタン開口部２１０を含むことができる。特定の実施形態に応じて、導電性テープ１５２の少なくとも一部は、外側ベース部分１１０の内面に固定（接合など）されてもよく、内側ベース部分１１２に固定（例えば、接着剤で固定）され得るボタン機構１５０によってボタン開口部２１０内において適所に弾性的に保持されてもよい。図２Ａのボタン開口部２１０（およびボタン機構１５０）の位置は、一例として示されている。他の実施形態では、ボタン開口部２１０およびボタン機構１５０は、他の構成を有することができる。例えば、他の実施態様では、ボタン開口部２１０およびボタン機構１５０は、一体化されたＶＲヘッドセット１００の右側もしくは左側に、または一体化されたＶＲヘッドセット１００の頂部側の異なる位置に配置することができる。
【００４７】
図２Ａに示すように、第１のヒンジ部分１４０は、ベース部の外面に（一体化されたＶＲヘッドセット１００の蓋部分１３０に連結されもしながら）配置することができる。いくつかの実施形態では、第１のヒンジ部分は、第２のヒンジ部分１４２、単一のヒンジ部分であり得、または他の適切な構成を有することができる。
【００４８】
図２Ｂは、一実施形態による、図１の一体化されたＶＲヘッドセット１００の底側斜視図を示す図である。図２Ｂは、一体化されたＶＲヘッドセット１００をユーザの鼻の上に快適に配置することを可能にするために、外側ベース部分１１０の切欠き２２０と相補的な、内側ベース部分１１２の切欠き２２２および蓋部分１３０の切欠き２２４を示す。
【００４９】
図２Ｂはまた、内側ベース部分１１２を通って延びるボタン機構１５０のくさび１５１を示す。このような構成は、ボタン機構１５０がボタン開口部２１０を介して押し下げられたときに、くさび１５１が、上述のように、電子デバイスのタッチスクリーンに接触して、電子デバイス上で再生および／または表示されているＶＲコンテンツと対話することを可能にする。
【００５０】
図３は、一実施形態による、図１の一体化されたＶＲヘッドセットの別の斜視図を示す図である。図３に示すように、一体化されたＶＲヘッドセット１００の蓋部分１３０は、ベース部分に対して、（図２Ａおよび図２Ｂに示すように蝶番式閉位置と比較して）蝶番式開位置に移動される。一体化されたＶＲヘッドセット１００が蝶番式開位置にある場合、ユーザは、一体化されたＶＲヘッドセット１００の内側ベース部分１１２に電子デバイス１７０を挿入するか、または一体化されたＶＲヘッドセット１００の内側ベース部分１１２から電子デバイス１７０を取り外すことができる。蓋部分１３０が閉じられると、蓋部分１３０は、（例えば、タッチスクリーン上向きで出荷するため、またはタッチスクリーン下向きでＶＲコンテンツを見るために）電子デバイス１７０を内側ベース部分１１２において所定の位置に保持する。
【００５１】
図３に示すように、外側ベース部分１１０および蓋部分１３０は、傾斜した合わせ面（縁部など）３１０および３２０をそれぞれ含む。傾斜した合わせ面３１０および３２０は、蓋部分１３０と一体化されたＶＲヘッドセット１００のベース部分との整列を容易にし、また、少なくとも部分的に、蓋部分１３０の、ベース部分に蝶番式に連結されているその側部に沿った高さのため、蓋部分１３０を（ベース部分に対して）その蝶番式閉位置とその蝶番式開位置との間において容易に移動させることができる。使用される特定のヒンジ構成によって、ヒンジ部分１４０および１４２の少なくとも１つが図３に示されている。例えば、図３において（および上に論じたように）、第１のヒンジ部分１４０は、ベース部分（例えば、内側ベース部分１１２のヒンジ凹部８４０）と蓋部分１３０との間で第２のヒンジ部分１４２と係合（連結、固定など）されることができ、蓋部分１３０を（ベース部分に対して）その蝶番式閉位置（図２Ａおよび２Ｂ）と蝶番式開位置（図３）との間で動かすための旋回（ヒンジ）点を提供する。
【００５２】
（例えば、図１，２Ａおよび２Ｂと併せて）図３に示すように、図１の一体化されたＶＲヘッドセット１００の蓋部分１３０は（ベース部分と同様に）第１の側で開いているシャーシの形態をとることができ、内側ベース部分１１２上におけるその配置、および外側ベース部分１１０との（例えば傾斜した合わせ面３１０に沿った）整列（例えば傾斜した合わせ面３２０に沿った）を容易にする。他の実施態様では、蓋部分１３０は、例えばベース部分の形状に対応する他の形状を有することができる。この例では、蓋部分１３０は、少なくとも部分的に閉じられるかまたは図１および図３に示されるように完全に閉じられる第２の側（例えば、図１では上向きであり、図３では下向きである側）を含むことができる。
【００５３】
一体化されたＶＲヘッドセット１００のベース部分と同様に、蓋部分１３０は、左側、右側、底側および頂部側を含むことができる（例えば、図１では左側および頂部側は見えない）。ＶＲヘッドセット１００では、カバー部分１１０の左側、右側、底側および頂部側が、蓋部分１３０の開いた第１の側（例えば、図３の上向き側）を画定することができ、蓋部分１３０の開いた第１の側は、蓋部分１３０が内側ベース部分１１２の上に摺動可能にフィットするように構成され、蓋部分１３０の傾斜した合わせ面３２０は、外側ベース部分１１０の傾斜した合わせ面３１０と整列され得る。このような構成では、蓋部分１３０（例えば、蓋部分１３０の第２の側の内面）は、出荷のために（例えば、電子デバイス１７０をタッチスクリーン上向きで）、および電子デバイス１７０によって表示されたＶＲコンテンツを見るために（例えば、電子デバイス１７０をタッチスクリーン下向きで）、電子デバイス１７０を一体化されたＶＲヘッドセット１００の内側ベース部分１１２において保持（例えば摩擦的に保持、機械的に保持するなど）できる。
【００５４】
上で簡単に述べたように、一体化されたＶＲヘッドセット１００の蓋部分１３０は、内側ベース部分１１２の少なくとも一部の上で蝶番式に閉じられるように構成することができる。このような構成では、一体化されたＶＲヘッドセット１００の内側ベース部分１１２の少なくとも一部を蓋部分１３０内に配置することができ、電子デバイス１７０は、内側ベース部分１１２によって画定された棚部（例えば、図８Ａに示される棚８５０）と蓋部分１３０の内面（例えば、図３に示されているように、蓋部分１３０の第２の側の上向きの面）との間に保持される。
【００５５】
図４Ａは、一実施形態による、図１の一体化されたＶＲヘッドセット１００の蓋部分１３０の斜視図を示す図である。図４Ａに示すように、蓋部分１３０は、その第２の（例えば閉じた）側に、凹部とすることができ、ならびに／または一体化されたＶＲヘッドセット１００で出荷される電子デバイス１７０の製造業者に関連付けられるロゴまたはブランド情報などのロゴおよび／もしくはブランド情報を表示するために使用することができる中央部分４１０を含むことができる。図４Ｂは、蓋部分１３０の底側平面図を示す図である。断面線４Ｃ−４Ｃが図４Ｂに示され、それは、図４Ｃに示す蓋部分１３０の断面図に対応する。
【００５６】
図４Ｃの断面図に示すように、中央部分４１０は、蓋部分１３０内に延在し、ＶＲコンテンツを見るために電子デバイス１７０を使用するときに電子デバイス１７０の安定化構造として作用することができる。言い換えれば、中央部分４１０は、電子デバイス１７０が一体化されたＶＲヘッドセット１００の内側ベース部分１１２に配置されたときに、電子デバイス１７０と接触するように構成することができる。このようなアプローチでは、中央部分４１０は、蓋部分１３０が（図２Ａに示すように）その蝶番式閉位置にあるとき、電子デバイス１７０（例えば、電子デバイス１７０の背面カバー）を押圧することができ、次いで、内側ベース部分１１２の棚部８５０（例えば、図８Ａから図８Ｃに示す）に電子デバイス１７０を押し付け、これは、電子デバイス１７０上に表示されたＶＲコンテンツを見る、および／またはそれと対話するときに、一体化されたＶＲヘッドセット１００内の電子デバイス１７０の動きを防止できる。
【００５７】
図５Ａは、一実施形態による、図１の一体化されたＶＲヘッドセット１００のボタン機構１５０の斜視図を示す図である。図５Ａに示すように、ボタン機構１５０は、くさび１５１が配置される矩形のベースセクション１５３を含むことができる。ベースセクション１５３は、先に説明したように、例えばボタン機構１５０を一体化されたＶＲヘッドセット１００の内側ベース部分１１２および／または外側ベース部分１１０と固定（接着、取り付け等）するために使用することができる。実施形態に応じて、くさび１５１は、導電性テープ１５２（図５Ａには示されていない）と電気的に接触（電気的に結合、連結など）している導電性材料から形成することができ、または非導電性材料から形成され、導電性テープ１５２は、外側ベース部分１１０のボタン開口部２１０からくさび１５１上に延在し、ボタン機構が例えばユーザによって押し下げられると電子デバイス１７１のタッチスクリーンに接触するくさび１５１の表面上に配置され得る。
【００５８】
さらに図５Ａに示すように、ブロック１５４は、くさび１５１の頂面に配置することができる。上述したように、ブロック１５４（多数の適切な材料から形成することができる）は、ボタン機構１５０の停止部として機能することができ、およびばね力（ブロック１５４の弾性に起因する）を与えて（例えば、くさび１５１が関連付けられる電子デバイスのタッチスクリーンと接触していない状態で）ボタン機構１５０をその付勢された位置に維持する（戻す）ことができる。このようなアプローチでは、図５Ｂのブロック１５４の前面は、一体化されたＶＲヘッドセット１００のボタン機構が押し下げられると、内側ベース部分１１２に対して圧縮され、その結果、ユーザが（ボタン機構１５０を介して）電子デバイス１７０のタッチスクリーン上に過度の力を加えることを防止し（これにより、タッチスクリーンへの損傷を防止し）、ボタン機構１５０がもはや押されなくなると、ボタン機構１５０をその付勢された（通常の）位置に戻してもよい。
【００５９】
図５Ｂは、図５Ａのボタン機構１５０の頂部側平面図を示す図であり、図５Ｃは、一実施形態による、ボタン機構１５０の右側平面図を示す図である。図５Ｂおよび図５Ｃに示す図は、くさび１５１上のブロック１５４の向きを示す。特定の実施形態に応じて、ブロック１５４は、くさび１５１（およびベース１５３）とモノリシックに形成することができ、または別個の部品として形成することができ、図５Ａ〜図５Ｃに示された配置でくさび１５１に載せられる（取り付けられる、固定されるなど）。さらに、ブロック１５４は、いくつかの実施形態では、導電性テープ１５２に（その上などに）取り付けられ得る。換言すれば、導電性テープ１５２の一部は、くさび１５１とブロック１５４との間に配置され得る。
【００６０】
図６Ａは、図１の導電性テープ１５２の例示的実施形態を示す図であり、それは図５Ａのボタン機構１５０に適用する（含まれる、その一部であるなど）ことができる。図６Ａに示す導電性テープ１５２は、一例として、接着剤でコーティングされた導電性繊維などの導電性材料の連続片から形成することができる。図６Ａに示すように、導電性テープ１５２は、接触部分１５６およびくさび部１５８を含むことができる。導電性テープ１５２の接触部分１５６は、（図２Ａおよび図２Ｂに示すように）外側ベース部分１１０のボタン開口部２１０を通って、および図５Ａに示されるボタン機構１５０のベースセクション１５３の背面に沿って（それと平行に）、少なくとも部分的に露出してもよい。導電性テープ１５２のくさび部分１５８は、（例えば、ボタン機構がユーザにより押下されたときに）ボタン開口部１５０から電子デバイス１７０のタッチスクリーンへの選択的な導電経路を提供するようにボタン機構１５０の背面からくさび１５１上へとまわって延びることができる。図６Ｂは図６Ａの導電性テープ１５２の右側平面図を示す図である。
【００６１】
図７Ａは、一実施形態による、図１の付属品トレイ１６０の斜視図を示す図である。図７Ａに示す実施形態では、付属品トレイ１６０は、２つの別個の部分（ピース、パーツなど）、つまり第１の部分７１０（図７Ｃに展開された平面図で示される）および第２の部分７２０（図７Ｄに展開された平面図で示される）を含み得る。図７Ａに示すように、付属品トレイ１６０は、この実施形態では、付属品トレイ１６０の第２の部分７２０の一部として含むことができる脚部（スタンドオフなど）７２２および７２４を含むことができる。脚部７２２および７２４は、付属品トレイ１６０が一体化されたＶＲヘッドセット１００の内側ベース部分１１２に（例えば、出荷のために）挿入されるとき、付属品トレイ１６０（およびその中に配置された付属品）がレンズ１２０に接触してそれを損傷するのを防ぐことができる。
【００６２】
さらに図７Ａに示すように、付属品トレイ１６０の第２のピース７２０は、外側ベース部分１１０の切欠き２２０、内側ベース部分１１２の切欠き２２２および蓋部分１３０の切欠き２２４と整列するフラップを含んで、付属品トレイ内に配置される付属品が（例えば、出荷中に）切欠き２２０，２２２および２２４を通って移動し、場合によってはレンズ１２０に損傷を与えることを防ぐことができる。
【００６３】
図７Ｂは、付属品トレイ１６０の底面平面図を示す図である。図７Ａおよび７Ｂに示すように、付属品トレイ１６０は、１つ以上の壁を含むことができ、付属品トレイ１６０の壁は、内側ベース部分１１２の１つ以上の側部との関連で、一体化されたＶＲヘッドセット１００を使用して対応する電子装置を消費者に出荷する間に、付属品トレイ１６０内に配置された付属品の移動を防止することができる。
【００６４】
上述のように、図７Ｃは、実施形態による、図７Ａの付属品トレイ１６０の第１の部分７１０の平面図を示す図であり、平坦な折り畳み前の（展開された）構成で示されている。同様に、図７Ｄは、実施形態による、図７Ａの付属品トレイ１６０の第２の部分７２０の平面図を示す図であり、平坦な折り畳み前の（展開された）構成で示されている。この実施形態において、第１のピース７１０および第２のピース７２０は、図７Ｃおよび図７Ｄに示す点線に沿って適切に折り畳むことができ、第２の部分７２０のタブ７２６および７２８は、第１の部分７１０のスロット７１６および７１８に挿入されて付属品トレイ１６０を形成することができる。
【００６５】
図８Ａは、実施形態による、図１の一体化されたＶＲヘッドセット１００のベース部分の内側ベース部分１１２の平面図を示す図である。図８Ｂは、図８Ａの断面線８Ｂ−８Ｂに沿った内側ベース部分１１２の断面図を示す図である。図８Ｃは、図８Ａの断面線８Ｂ−８Ｂに沿った内側ベース部分１１２の断面図を示す図である。
【００６６】
図８Ａ〜図８Ｃに示すように、内側ベース部分１１２は、ボタン凹部８１０を含むことができ、そこで図５Ａ〜図５Ｃのボタン機構１５０は固定または近接して配置される。言い換えれば、ボタン機構１５０は、ボタン凹部８１０と外側ベース層１１０との間に固定的に配置され、ボタン機構１５０のくさび１５１はボタン凹部８１０に画定された開口部８１２を通って延びる。また、図８Ａ〜図８Ｃに示すように、内側ベース部分１１２は、（例えば、外側ベース部分１１０のレンズエンクロージャに対応する）レンズエンクロージャ８３０の対を含み、レンズ１２０のためのレンズ開口部を画定することができる。
【００６７】
図８Ａ〜図８Ｃ（および図８Ｄ〜図８Ｆ）の実施形態では、内側ベース部分１１２は、ヒンジ凹部８４０（上で図３に関して参照されている）を含むこともできる。ヒンジ凹部８４０は、図１の第１のヒンジ部分１４０と第２のヒンジ部分１４２との境界点を規定することができる。いくつかの実施形態では、一体化されたＶＲヘッドセット１００のヒンジ構造の１つ以上の部分を、ヒンジ凹部８４０に連結（取り付け、取り付けなど）して、一体化されたＶＲヘッドセット１１０の蓋部分１３０をそのベース部分と蝶番式に連結できる。
【００６８】
また、図８Ａ〜図８Ｃに示すように、内側ベース部分１１２は、内側ベース部分１１２の内周の少なくとも一部の周りに配置された棚部８５０を含む（規定するなど）ことができる。棚部８５０は、電子デバイス１７０が一体化されたＶＲヘッドセットに挿入されたときに、電子デバイス１７０を物理的に支持する（例えば、一体化されたＶＲヘッドセット１００のベース部分の開いた第１の側の近くに電子デバイス１７０を保持する）よう構成され得る。言い換えれば、電子デバイス１７０は、出荷のために（例えば、電子デバイス１７０をタッチスクリーン上向きで）、および電子デバイス１７０上に表示されたＶＲコンテンツを見るために（例えば、電子デバイス１７０をタッチスクリーン下向きで）、一体化されたＶＲヘッドセット１００において（蝶番式閉位置にある）蓋部分１３０と関連して電子デバイス１７０を位置決め／固定するよう、棚８５０上に置かれ、セットされるなどされ得る。この実施形態では、棚部８５０は、内側ベース部分１１２の一部としてモノリシックに形成することができる。他の実施形態では、棚部８５０は他の態様で形成することができる。
【００６９】
図８Ｄは、一実施形態による、図８Ａ〜図８Ｃの内側ベース部分１１２の底側平面図を示す図である。図８Ｄは、内側ベース部分１１２における鼻切欠き２２２に対するレンズエンクロージャ８３０の配置を示す。図８Ｅは、実施形態による、図８Ａ〜図８Ｃの内側ベース部分１１２の左側平面図を示す図である。図８Ｅは、内側ベース部分１１２の傾斜した合わせ面（縁部）３２０の構成を示す。図８Ｆは、実施形態による、図８Ａ〜図８Ｃの内側ベース部分の頂部側平面図を示す図である。図８Ｆは、内側ベース部分１１２の頂部側におけるボタン凹部８１０、（ボタン機構１５０のくさび１５１を受け入れるための）開口部８１２、およびヒンジ凹部８４０の配置を示す。
【００７０】
図９Ａは、実施形態による、図１の一体化されたＶＲヘッドセット１００のベース部分の外側ベース部分１１０の平面図を示す図である。図９Ｂは、図９Ａの切断線９Ｂ−９Ｂに沿った外側ベース部分１１０の断面図を示す図である。
【００７１】
図９Ａ〜図９Ｂに示すように、外側ベース部分１１０は、ボタン開口部２１０を含むことができ、図５Ａ〜図５Ｃのボタン開口部１５０は、ここに記載されているように、ユーザによる押し下げのために露出され得る。また、図９Ａ〜図９Ｂに示すように、外側ベース部分１１０は、（例えば、内側ベース部分１１２のレンズエンクロージャ８３０に対応する）レンズエンクロージャ９３０の対を含み、レンズ１２０のためのレンズ開口部を画定することができる。
【００７２】
図９Ｃは、一実施形態による、図９Ａの外側ベース部分１１０の底側平面図を示す図である。図９Ｃは、鼻切欠き２２０に対するレンズエンクロージャ９３０の配置を示し、また、鼻切欠き２２０およびレンズエンクロージャ９３０に対するボタン開口部２１０の配置を示す。図９Ｄは、一実施形態による、図９Ａの外側ベース部分１１０の左側平面図を示す図である。図９Ｄは、外側ベース部分１１０の傾斜した合わせ面（縁部）３１０の配置を示す。
【００７３】
図１０は、一実施形態による、図１の一体化されたＶＲヘッドセット１００のレンズ１２０の斜視図を示す図である。図１０に示すように、レンズ１２０は各々、複数の保持タブ１０１０および光学部分１０２０を含む。レンズ１２０の各々は、内側ベース部分１１２および外側ベース部分１１０のレンズエンクロージャ８３０および９３０によって画定されたレンズ開口部のそれぞれのレンズ開口部に取り付けることができる。このようなアプローチでは、レンズ１２０の保持タブ１０１０は、レンズエンクロージャ８３０および９３０および／または接着層１１４と係合して、レンズ１２０の光学部分１０２０を塞ぐことなく、一体化されたＶＲヘッドセット１００のベース部分のレンズ開口部内において固定された位置にレンズ１２０を保持することができる。言い換えれば、そのようなアプローチでは、レンズ１２０の光学部分１０２０は、レンズエンクロージャ８３０および９３０によって画定されるレンズ開口部とともに配置され、保持タブ１０１０は、レンズエンクロージャ８３０および９３０の間に（例えば、見えないように）配置され、レンズが、一体化されたＶＲヘッドセット１００のベース部分において固定された位置に保持されるようにする。
【００７４】
図１１は、実施形態による、図８Ａの内側ベース部分１１２を９Ａの外側ベース部分１１０と固定して図１の一体化されたＶＲヘッドセット１００のベース部分を形成するための接着層１１４の斜視図を示す図である。図１１に示すように、接着層１１４は、図８Ａ〜図８Ｆの内側ベース部分１１２のボタン凹部８１０に対応するノッチ１１１０を含むことができる。図１１に示すように、接着層１１４は、内側ベース部分１１２および外側ベース部分のレンズ開口部ならびに外側ベース部分１１０の鼻切欠き２２０および内側ベース部分１１０の鼻切欠き２２２に対応する切欠き１１２０も含む。上述のように、接着層１１４は多くの形態をとることができる。例えば、接着層１１４は、接着剤でコーティングされたプラスチックシート、テープ、接着剤でコーティングされた繊維などを含むことができる。さらに、上述したように、他の実施形態では、糊、エポキシ、フックアンドループなどのような、内側ベース部分１１０を外側ベース部分と固定するために、他のアプローチを使用することもできる。
【００７５】
ある実施形態では、装置は、第１の側で開いているベース部分と、ベース部分の第２の側内に配置された第１のレンズおよび第２のレンズとを含むことができる。装置はまた、ベース部分の内周の少なくとも一部の周りに配置された棚部を含み、棚部は、ベース部分の第１の側から挿入される電子デバイスを物理的に支持するように構成されることができる。この装置は、第１の側で開いており第２の側で閉じられている蓋部分と、ベース部分を蓋部分と連結するヒンジとをさらに含むことができる。ベース部分、蓋部分およびヒンジは、ベース部分および蓋部分が開位置と閉位置との間で互いに対して蝶番式に可動であるように構成することができる。
【００７６】
実施形態は、以下の特徴の１つ以上を含み得る。例えば、ベース部分および蓋部分は、対応する傾斜した合わせ面を有することができる。ベース部分は、第１のレンズ開口部、第２のレンズ開口部を有する外側ベース部分および内側ベース部分を含むことができる。内側ベース部分は、外側ベース部分の第１のレンズ開口部と整列される第１のレンズ開口部と、外側ベース部分の第２のレンズ開口部と整列される第２のレンズ開口部とを含むことができる。ベース部分は、内側ベース部分を外側ベース部分に固定する接着層を含むことができる。内側ベース部分は、外側ベース部分内に少なくとも部分的に配置することができる。
【００７７】
第１のレンズおよび第２のレンズは、内側ベース部分と外側ベース部分との間に固定的に保持することができる。第１のレンズの光学部分は、内側ベース部分の第１のレンズ開口部および外側ベース部分の第１のレンズ開口部内に配置することができる。第２のレンズの光学部分は、内側ベース部分の第２のレンズ開口部および外側ベース部分の第２のレンズ開口部内に配置することができる。第１のレンズおよび第２のレンズは各々、内側ベース部分と外側ベース部分との間に第１のレンズおよび第２のレンズを固定的に保持するように構成された複数のタブを含むことができる。
【００７８】
ベース部分および蓋部分には、その内部に切欠きが画定され得る。切欠きは、ユーザの鼻の上に配置するように構成することができる。
【００７９】
装置は、ベース部分に固定されるボタン機構を含むことができる。ボタン機構は、電子デバイスのタッチスクリーンと選択的に対話するように構成することができる。ベース部分は、ボタン機構に関連付けられる開口部を含むことができる。ボタン機構の一部は、開口部を通して露出することができる。ボタン機構は、導電性材料を含むことができる。
【００８０】
ベース部分は、内側ベース部分および外側ベース部分を含むことができる。ボタン機構は、内側ベース部分と外側ベース部分との間に固定的に保持することができる。内側ベース部分は、ボタン機構の一部を受け入れるように構成された切欠きを含むことができる。外側ベース部分は、ボタン機構に関連付けられる開口部を含むことができる。ボタン機構の一部は、開口部を通して露出させることができる。
【００８１】
ベース部分は、内側ベース部分および外側ベース部分を含むことができる。内側ベース部分は、凹部を含むことができる。ボタン機構は、ボタン機構が内側ベース部分と外側ベース部分との間に固定的に保持されるように、凹部に固定的に取り付けることができる。内側ベース部分は、ボタン機構の一部を受けるように構成された切欠きを含むことができる。
【００８２】
ヒンジは、第１のヒンジ部分および第２のヒンジ部分を含むことができる。第１のヒンジ部分は、装置の少なくとも１つの内面と連結することができる。第２のヒンジ部分は、装置の少なくとも１つの外面と連結することができる。
【００８３】
一実施形態では、製造物品は、第１の側で開いているベース部分と、ベース部分の第２の側内に配置された第１のレンズおよび第２のレンズとを含むことができる。物品はまた、ベース部分の内周の少なくとも一部の周りに配置された棚部を含むことができる。棚部は、ベース部分の第１の側から挿入される電子デバイスを物理的に支持するように構成することができる。物品はまた、第１の側で開いており、第２の側で閉じられている蓋部分を含むことができる。物品はまた、ベース部分を蓋部分と連結するヒンジを含むことができる。ベース部分、蓋部分およびヒンジは、ベース部分および蓋部分が開位置と閉位置との間で互いに対して蝶番式に可動であるように構成することができる。物品はまた、閉位置にあるときにベース部分および蓋部分の上に摺動可能にフィットするように構成されたスリーブを含むことができる。物品は、ベース部分内に配置されるように構成されたトレイをさらに含むことができる。トレイは、トレイと第１のレンズおよび第２のレンズとの間の物理的接触を防止するように構成された複数の脚部を含むことができる。
【００８４】
実施形態は、以下の特徴の１つ以上を含み得る。例えば、トレイは、電子デバイスのための少なくとも１つの付属品を含むように構成され得る。ベース部分および蓋部分は、対応する傾斜した合わせ面を有することができる。
【００８５】
ベース部分は、外側ベース部分および内側ベース部分を含むことができる。外側ベース部分は、第１のレンズ開口部および第２のレンズ開口部を有することができる。内側ベース部分は、外側ベース部分の第１のレンズ開口部と整列される第１のレンズ開口部と、外側ベース部分の第２のレンズ開口部と整列される第２のレンズ開口部とを有することができる。ベース部分は、内側ベース部分を外側ベース部分に固定する接着層を含み、内側ベース部分は外側ベース部分内に少なくとも部分的に配置されることができる。
【００８６】
第１のレンズおよび第２のレンズは、内側ベース部分と外側ベース部分との間に固定的に保持することができる。第１のレンズの光学部分は、内側ベース部分の第１のレンズ開口部および外側ベース部分の第１のレンズ開口部内に配置することができる。第２のレンズの光学部分は、内側ベース部分の第２のレンズ開口部および外側ベース部分の第２のレンズ開口部内に配置することができる。
【００８７】
ベース部分および蓋部分には、その内部に切欠きが画定され得る。切欠きは、ユーザの鼻の上に配置するように構成することができる。
【００８８】
物品は、ベース部分に固定されるボタン機構を含むことができる。ボタン機構は、電子デバイスのタッチスクリーンと選択的に対話するように構成することができる。
【００８９】
ヒンジは、第１のヒンジ部分および第２のヒンジ部分を含むことができる。第１のヒンジ部分は、装置の少なくとも１つの内面と連結することができる。第２のヒンジ部分は、装置の少なくとも１つの外面と連結することができる。
【００９０】
一般的な態様において、装置は、第１の側で開いているベース部分と、ベース部分の第２の側内に配置される第１のレンズおよび第２のレンズとを含むことができる。装置はまた、ベース部分の内周の少なくとも一部の周りに配置された棚部を含み、棚部は、ベース部分の第１の側から挿入される電子デバイスを物理的に支持するように構成されることができる。装置は、第１の側で開いており第２の側で閉じられている蓋部分と、ベース部分を蓋部分と連結するヒンジとをさらに含むことができる。ベース部分、蓋部分およびヒンジは、ベース部分および蓋部分が開位置と閉位置との間で互いに対して蝶番式に可動であるように構成することができる。
【００９１】
実施形態は、以下の特徴の１つ以上を含み得る。例えば、ベース部分および蓋部分は、対応する傾斜した合わせ面を有することができる。ベース部分は、第１のレンズ開口部、第２のレンズ開口部を有する外側ベース部分および内側ベース部分を含むことができる。内側ベース部分は、外側ベース部分の第１のレンズ開口部と整列される第１のレンズ開口部と、外側ベース部分の第２のレンズ開口部と整列される第２のレンズ開口部とを含むことができる。ベース部分は、内側ベース部分を外側ベース部分に固定する接着層を含むことができる。内側ベース部分は、外側ベース部分内に少なくとも部分的に配置することができる。
【００９２】
第１のレンズおよび第２のレンズは、内側ベース部分と外側ベース部分との間に固定的に保持することができる。第１のレンズの光学部分は、内側ベース部分の第１のレンズ開口部および外側ベース部分の第１のレンズ開口部内に配置することができる。第２のレンズの光学部分は、内側ベース部分の第２のレンズ開口部および外側ベース部分の第２のレンズ開口部内に配置することができる。第１のレンズおよび第２のレンズは各々、内側ベース部分と外側ベース部分との間に第１のレンズおよび第２のレンズを固定的に保持するように構成された複数のタブを含むことができる。
【００９３】
ベース部分および蓋部分には、その内部に切欠きが画定され得る。切欠きは、ユーザの鼻の上に配置するように構成することができる。
【００９４】
装置は、ベース部分に固定されるボタン機構を含むことができる。ボタン機構は、電子デバイスのタッチスクリーンと選択的に対話するように構成することができる。ベース部分は、ボタン機構に関連付けられる開口部を含むことができる。ボタン機構の一部は、開口部を通して露出させることができる。ボタン機構は、導電性材料を含むことができる。
【００９５】
ベース部分は、内側ベース部分および外側ベース部分を含むことができる。ボタン機構は、内側ベース部分と外側ベース部分との間に固定的に保持することができる。内側ベース部分は、ボタン機構の一部を受けるように構成された切欠きを含むことができる。外側ベース部分は、ボタン機構に関連付けられる開口部を含むことができる。ボタン機構の一部は、開口部を通して露出させることができる。
【００９６】
ベース部分は、内側ベース部分および外側ベース部分を含むことができる。内側ベース部分は、凹部を含むことができる。ボタン機構は、ボタン機構が内側ベース部分と外側ベース部分との間に固定的に保持されるように、凹部に固定的に取り付けることができる。内側ベース部分は、ボタン機構の一部を受けるように構成された切欠きを含むことができる。
【００９７】
ヒンジは、第１のヒンジ部分および第２のヒンジ部分を含むことができる。第１のヒンジ部分は、装置の少なくとも１つの内面と連結することができる。第２のヒンジ部分は、装置の少なくとも１つの外面と連結することができる。
【００９８】
他の一般的な態様において、製造物品は、第１の側で開いているベース部分と、ベース部分の第２の側内に配置された第１のレンズおよび第２のレンズとを含むことができる。物品はまた、ベース部分の内周の少なくとも一部の周りに配置された棚部を含むことができる。棚部は、ベース部分の第１の側から挿入される電子デバイスを物理的に支持するように構成することができる。物品はまた、第１の側で開いており、第２の側で閉じられている蓋部分を含むことができる。物品はまた、ベース部分を蓋部分と連結するヒンジを含むことができる。ベース部分、蓋部分およびヒンジは、ベース部分および蓋部分が開位置と閉位置との間で互いに対して蝶番式に可動であるように構成することができる。物品はまた、閉位置にあるときにベース部分および蓋部分の上に摺動可能にフィットするように構成されたスリーブを含むことができる。物品は、ベース部分内に配置されるように構成されたトレイをさらに含むことができる。トレイは、トレイと第１のレンズおよび第２のレンズとの間の物理的接触を防止するように構成された複数の脚部を含むことができる。
【００９９】
実施形態は、以下の特徴の１つ以上を含み得る。例えば、トレイは、電子デバイスのための少なくとも１つの付属品を含むように構成され得る。ベース部分および蓋部分は、対応する傾斜した合わせ面を有することができる。
【０１００】
ベース部分は、外側ベース部分および内側ベース部分を含むことができる。外側ベース部分は、第１のレンズ開口部および第２のレンズ開口部を有することができる。内側ベース部分は、外側ベース部分の第１のレンズ開口部と整列される第１のレンズ開口部と、外側ベース部分の第２のレンズ開口部と整列される第２のレンズ開口部とを有することができる。ベース部分は、内側ベース部分を外側ベース部分に固定する接着層を含み、内側ベース部分は外側ベース部分内に少なくとも部分的に配置されることができる。
【０１０１】
第１のレンズおよび第２のレンズは、内側ベース部分と外側ベース部分との間に固定的に保持することができる。第１のレンズの光学部分は、内側ベース部分の第１のレンズ開口部および外側ベース部分の第１のレンズ開口部内に配置することができる。第２のレンズの光学部分は、内側ベース部分の第２のレンズ開口部および外側ベース部分の第２のレンズ開口部内に配置することができる。
【０１０２】
ベース部分および蓋部分には、その内部に切欠きが画定され得る。切欠きは、ユーザの鼻の上に配置するように構成することができる。
【０１０３】
物品は、ベース部分に固定されるボタン機構を含むことができる。ボタン機構は、電子デバイスのタッチスクリーンと選択的に対話するように構成することができる。
【０１０４】
ヒンジは、第１のヒンジ部分および第２のヒンジ部分を含むことができる。第１のヒンジ部分は、装置の少なくとも１つの内面と連結することができる。第２のヒンジ部分は、装置の少なくとも１つの外面と連結することができる。
【０１０５】
多数の実施形態が記載された。それにもかかわらず、特許請求の範囲の精神および範囲から逸脱することなく、様々な修正がなされ得ることが理解されるであろう。
【図１】
0006581211.tif 000002
【図２Ａ】
0006581211.tif 000003
【図２Ｂ】
0006581211.tif 000004
【図３】
0006581211.tif 000005
【図４Ａ】
0006581211.tif 000006
【図４Ｂ】
0006581211.tif 000007
【図４Ｃ】
0006581211.tif 000008
【図５Ａ】
0006581211.tif 000009
【図５Ｂ】
0006581211.tif 000010
【図５Ｃ】
0006581211.tif 000011
【図６Ａ】
0006581211.tif 000012
【図６Ｂ】
0006581211.tif 000013
【図７Ａ】
0006581211.tif 000014
【図７Ｂ】
0006581211.tif 000015
【図７Ｃ】
0006581211.tif 000016
【図７Ｄ】
0006581211.tif 000017
【図８Ａ】
0006581211.tif 000018
【図８Ｂ】
0006581211.tif 000019
【図８Ｃ】
0006581211.tif 000020
【図８Ｄ】
0006581211.tif 000021
【図８Ｅ】
0006581211.tif 000022
【図８Ｆ】
0006581211.tif 000023
【図９Ａ】
0006581211.tif 000024
【図９Ｂ】
0006581211.tif 000025
【図９Ｃ】
0006581211.tif 000026
【図９Ｄ】
0006581211.tif 000027
【図１０】
0006581211.tif 000028
【図１１】
0006581211.tif 000029